(57)【要約】      （修正有）【課題】  材料毎に分別廃棄することができると共に軽量化を図ることができる打抜機用抜型を提供する。【解決手段】  ダイボード３０に形成された固定溝にシート材１００を打ち抜くための切断刃２０及び罫２１を挟入して固定する打抜機用抜型１０において、前記ダイボードが少なくとも表板３１及び底板３２と、該表板及び底板の間に挟持されて、当該表板及び底板よりも厚い中芯３３とから構成すると共に、前記表板及び前記底板と、前記中芯とを異なる材料で形成し、且つ互いに接着されずに積層状態で固定する。【選択図】        図１
2005046978.tif 000002
【特許請求の範囲】
【請求項１】
ダイボードに形成された固定溝にシート材を打ち抜くための切断刃及び罫を挟入して固定する打抜機用抜型において、
前記ダイボードが少なくとも表板及び底板と、該表板及び底板の間に挟持されて、当該表板及び底板よりも厚い中芯とから構成されると共に、前記表板及び前記底板と、前記中芯とが異なる材料で形成され且つ互いに接着されずに積層状態で固定されていることを特徴とする打抜機用抜型。
【請求項２】
請求項１において、前記表板、中芯及び底板の各層が、前記表板、中芯及び底板を厚さ方向に貫通して形成された固定孔に挿通された棒状部材からなる固定部材により互いに固定されていることを特徴とする打抜機用抜型。
【請求項３】
請求項１又は２において、前記表板には、前記切断刃を取り囲むと共に先端が当該切断刃の刃先よりも先方に突出した弾性体からなる押さえ具が設けられ、且つ前記固定溝が前記表板、中芯及び底板の厚さ方向に貫通して各層に跨って設けられ、前記切断刃の刃元側が前記底板に保持されていることを特徴とする打抜機用抜型。
【発明の詳細な説明】
【技術分野】
【０００１】
本発明は、シート材を所定の形状に打ち抜くための切断刃及び罫が固定されたダイボードを具備する打抜機用抜型に関する。
【背景技術】
【０００２】
従来より、合成樹脂製フィルム、薄紙または厚紙等のシート材から、展開した箱等の所定形状打抜片を打ち抜くと共に罫線を形成するために、打抜機が用いられている。従来の打抜機は、抜型と、これに相対向する面板とからなり、シート材が載置された面板に抜型を圧接することにより当該シート材を打ち抜くと共に罫線を形成するものである。
【０００３】
このような打抜機用抜型としては、帯状の板材を打抜片の形状に合わせて屈曲成形した切断刃及び罫と、切断刃及び罫の基端部側を保持する固定溝が設けられてベニヤ板、金属等からなるダイボードとで構成されている（例えば、特許文献１参照）。
【０００４】
このような打抜機用抜型のダイボードは、金属材料で形成すると重量が重くなると共に高コストになってしまい、また、発泡樹脂等で形成すると軽量化及び低コスト化が図れるものの、強度が低下してしまうという問題がある。
【０００５】
このため、打抜機用抜型のダイボードとして、金属からなる表板及び底板と、表板及び底板の間に設けられて発泡樹脂からなる中芯とで構成され、各層を積層した後に、中芯となる樹脂を発泡させて表板、中芯及び底板を接合したものが市販されている。このダイボードによれば、中芯を発泡樹脂で形成することで、軽量化を図ることができると共に、表板及び底板によりダイボードの強度を保つことができる。
【０００６】
しかしながら、上述した表板、中芯及び底板の３層で構成されたダイボードを用いた打抜機用抜型では、ダイボードの各層が中芯を発泡させることで接着されているため、各層を分割し難く材料の異なる各層を分別して廃棄することができないという問題がある。
【０００７】
【特許文献１】特開平０９−１９３０８１号公報（第４頁、第１図）
【発明の開示】
【発明が解決しようとする課題】
【０００８】
本発明は、このような事情に鑑み、材料毎に分別廃棄することができると共に軽量化を図ることができる打抜機用抜型を提供することを課題とする。
【課題を解決するための手段】
【０００９】
上記課題を解決する本発明の第１の態様は、ダイボードに形成された固定溝にシート材を打ち抜くための切断刃及び罫を挟入して固定する打抜機用抜型において、前記ダイボードが少なくとも表板及び底板と、該表板及び底板の間に挟持されて、当該表板及び底板よりも厚い中芯とから構成されると共に、前記表板及び前記底板と、前記中芯とが異なる材料で形成され且つ互いに接着されずに積層状態で固定されていることを特徴とする打抜機用抜型にある。
【００１０】
本発明の第２の態様は、第１の態様において、前記表板、中芯及び底板の各層が、前記表板、中芯及び底板を厚さ方向に貫通して形成された固定孔に挿通された棒状部材からなる固定部材により互いに固定されていることを特徴とする打抜機用抜型にある。
【００１１】
本発明の第３の態様は、第１又は２の態様において、前記表板には、前記切断刃を取り囲むと共に先端が当該切断刃の刃先よりも先方に突出した弾性体からなる押さえ具が設けられ、且つ前記固定溝が前記表板、中芯及び底板の厚さ方向に貫通して各層に跨って設けられ、前記切断刃の刃元側が前記底板に保持されていることを特徴とする打抜機用抜型にある。
【００１２】
かかる本発明では、ダイボードを構成する表板、中芯及び底板の３層が互いに接着されずに固定されるようにしたため、表板、中芯及び底板のそれぞれを異なる材料で形成して軽量化及び低コスト化を図っても、異なる材料の各層を容易に分割して、分別して廃棄することができる。
【発明の効果】
【００１３】
以上説明したように、本発明の打抜機用抜型では、ダイボードを構成する材料の異なる各層が接着されず、積層状態で互いに固定されるようにしたため、ダイボードの軽量化及び低コスト化を図ると共に各層の分割を容易にして、容易に分別して廃棄することができる。
【発明を実施するための最良の形態】
【００１４】
以下に、本発明を実施形態に基づいて詳細に説明する。
【００１５】
（実施形態１）
図１は、本発明の実施形態１に係る打抜機用抜型の要部断面図である。
【００１６】
図１に示すように、打抜機用抜型１０は、切断刃２０と、切断刃２０を保持するダイボード３０とを具備する。
【００１７】
切断刃２０及び罫は、帯状の板材を打抜片の形状に合わせて屈曲成形されたものであり、ダイボード３０に固定される。
【００１８】
また、ダイボード３０は、平板状の表板３１及び底板３２と、表板３１及び底板３２の間に挟持されて表板３１及び底板３２の厚みよりも厚い中芯３３との３層で構成され、少なくとも表板３１及び底板３２と中芯３３とは異なる材料で形成されていると共に、各層は互いに接着せずに分割自在に積層状態で固定されている。
【００１９】
ダイボード３０を構成する表板３１及び底板３２は、例えば、ベニヤ板、金属、樹脂等を挙げることができ、中芯３３は、例えば、発泡樹脂等を挙げることができる。本実施形態では、表板３１を３〜５ｍｍの金属で形成し、底板３２を３〜５ｍｍの発泡ポリエチレンテレフタラート（ＰＥＴ）で形成した。また、中芯３３は、ダイボード３０全体の厚みが約１８ｍｍとなるように、８〜１０ｍｍの発泡樹脂で形成した。
【００２０】
このように、中芯３３を発泡樹脂で形成することで、ダイボード３０の軽量化及び低コスト化を図ることができると共に、表板３１及び底板３２により、ダイボード３０の強度を保つことができる。
【００２１】
また、ダイボード３０は、厚さ方向に貫通して各層３１〜３３に連通する固定孔３４が設けられている。この固定孔３４には棒状の固定部材３５が挿通され、固定孔３４に挿通された固定部材３５により各層３１〜３３は互いに接着されずに積層状態で固定されている。なお、このような固定部材３５としては、例えば、ノックピン、ねじ等を挙げることができる。本実施形態では、ねじからなる固定部材３５を固定孔３４の開口する表板３１側及び底板３２側のそれぞれから挿入し、各固定部材３５を中芯３３に螺合させることで表板３１と中芯３３とを固定すると共に中芯３３と底板３２とを固定して、各層３１〜３３が積層状態で相互に固定されるようにした。
【００２２】
また、ダイボード３０には、切断刃２０及び罫の刃元側が挿入される固定溝３６が設けられている。この固定溝３６も、固定孔３４と同様にダイボード３０の各層３１〜３３に連通してダイボード３０を厚さ方向に貫通して設けられている。
【００２３】
そして、このような固定溝３６には、切断刃２０の刃元側が底板３２に保持されるように、切断刃２０の刃元側の端面が底板３２の表面に達するまで挿入され、刃先側が表板３１から所定量突出するように保持されている。また、図示しないが、ダイボード３０には、罫が切断刃２０と同様に、その刃先側が表板３１から所定量突出するように保持されている。
【００２４】
なお、ダイボード３０の固定孔３４及び固定溝３６の形成方法は、特に限定されないが、例えば、レーザ加工やエンドミル加工等により形成することができる。また、固定孔３４及び固定溝３６は、各層３１〜３３のそれぞれに加工してもよいし、少なくとも一部を積層した状態で加工してもよい。
【００２５】
このようなダイボード３０は、固定部材３５を外すことで容易に表板３１、中芯３３及び底板３２の各層を分割することができるため、異なる材料で形成された各層３１〜３３を容易に分別して廃棄することができる。
【００２６】
また、ダイボード３０の表板３１には、スポンジ、純ゴム等の弾性体で形成された押さえ具４０が切断刃２０を両側から取り囲むように取り付けられている。押さえ具４０の先端は、切断刃２０の刃先よりも先方に若干量（例えば、１〜２ｍｍ程度）突出している。
【００２７】
このような打抜機用抜型１０は、図１（ｂ）に示すように、ダイボード３０の底板３２と中芯３３とを固定する固定部材３５を外し、底板３２を中芯３３から取り外すことで、切断刃２０の刃元側が底板３２の厚み分だけ中芯３３の表面から突出される。この中芯３３から突出した切断刃２０を刃先側に押し込むと、切断刃２０の刃先は押さえ具４０よりも先方に突出するので、突出した刃先を掴み工具等で掴んで切断刃２０を容易に抜き出すことができる。このように切断刃２０を容易にダイボード３０から抜き出すことで、切断刃２０の交換を容易に行えると共に、材料毎に分別して容易に廃棄することができる。なお、ダイボード３０に切断刃２０と共に固定された罫は、ダイボード３０の底板３２を取り外さなくても予めダイボード３０の表板３１から刃先が所定量突出しているため、突出した刃先を掴んで容易に抜き出すことができる。
【００２８】
ここで、このような打抜機用抜型１０を用いた打抜機の一例について図２を参照して説明する。なお、図２は、打抜機の概略断面図である。
【００２９】
図２に示すように、打抜機５０は、上部定盤５１及び下部定盤５２を有し、固定された上部定盤５１に対して下部定盤５２が駆動装置（図示せず）によって接近離反方向に駆動されるようになっている。上部定盤５１の下面には、チェース５３が取り付けられると共に、下部定盤５２の上面にはデッドプレート５４が取り付けられる。ここで、チェース５３は、打抜機５０の上部定盤５１に精度良く位置決め固定される汎用治具の一つであり、デッドプレート５４は、下部定盤５２に精度良く位置決め固定される汎用治具の一つである。
【００３０】
上部定盤５１には、上述した打抜機用抜型１０が固定され、デッドプレート５４上には、金属材料からなるカウンタプレート５５が固定される。
【００３１】
デッドプレート５４上に固定されたカウンタプレート５５の上面には、罫２１に対応する領域に凹溝５６が形成されると共に、他の部分は平坦な受け面５７となっている。
【００３２】
このような打抜機５０では、カウンタプレート５５の上面に合成樹脂製フィルム、薄紙、厚紙等のシート材１００を載置し、下方から下部定盤５２を上昇させてカウンタプレート５５の受け面５７に押さえ具４０が圧接して弾性変形することにより縮み、切断刃２０がカウンタプレート５５の受け面５７に所定の圧力で押圧され、シート材１００を所望の形状に打ち抜くことができる。また、切断後には、下部定盤５２が下降する過程で、押さえ具４０は、自身の弾性回復力により元に戻り、シート材１００を押し戻してシート材１００を切断刃２０から離す働きもする。
【００３３】
また、下部定盤５２の上昇に伴い、罫２１がシート材１００を凹溝５６内に圧入し、凹溝５６に圧入されたシート材１００には、罫線が形成される。
【００３４】
ここで、このような打抜機５０を用いて形成した打抜片について説明する。なお、図３は、打抜片を示す平面図である。
【００３５】
図３に示すように、打抜機５０によりシート材１００を打ち抜いて形成された打抜片１１０は、所望の形状を有すると同時に、所望の位置に切れ線１１１および折り目となる罫線（折れ線）１１２を有する。ここで、切れ線１１１は、切断刃２０の先端がカウンタプレート５５の受け面５７に当接することで形成され、また、罫線１１２は、罫２１の先端が凹溝５６内に挿入されることで形成される。
【００３６】
（他の実施形態）
以上、本発明の実施形態について説明したが、打抜機用抜型は、上述したものに限定されるものではない。
【００３７】
例えば、上述した実施形態１では、ダイボード３０を表板３１、中芯３３及び底板３２の３層で構成するようにしたが、ダイボードは、少なくとも３層以上で構成されていれば、特に限定されるものではない。
【００３８】
また、上述した実施形態１では、ダイボード３０の各層３１〜３３を、表板３１側及び底板３２側のそれぞれから固定部材３５を挿入し、固定部材３５を中芯３３に螺合させて積層状態で互いに固定するようにしたが、特にこれに限定されず、例えば、ねじからなる固定部材を表板又は底板の何れか一方側から挿入し、中芯及び他方の層に螺合させて積層状態で互いに固定するようにしてもよい。また、固定部材として、ノックピン等を用いるようにしてもよい。何れにしても、ダイボードの各層が接着されず、分割自在となるように積層状態で互いに固定されていれば、上述した構成に限定されるものではない。
【図面の簡単な説明】
【００３９】
【図１】本発明の実施形態１に係る打抜機用抜型の要部断面図である。
【図２】本発明の実施形態１に係る打抜機の概略断面図である。
【図３】本発明の実施形態１に係る打抜片の平面図である。
【符号の説明】
【００４０】
１０  打抜機用抜型
２０  切断刃
２１  罫
３０  ダイボード
３１  表板
３２  底板
３３  中芯
３５  固定部材
４０  押さえ具
５０  打抜機
１００  シート材
１１０  打抜片
【図１】
2005046978.tif 000003
【図２】
2005046978.tif 000004
【図３】
2005046978.tif 000005